(57)【要約】【課題】  記録情報の記録時において高精度且つ高信頼性を有する記録クロック信号に基づいて記録情報の記録を行うことが可能であると共に、アドレス情報をより多く且つより短時間に正確に取得することが可能なＤＶＤ−Ｒ／Ｗ等を提供する。【解決手段】  予め設定された基本周波数を有する基本信号と、当該基本周波数と異なる副周波数を有する副信号と、を多重した多重周波数信号に相当する蛇行波形が形成されているトラック２を備える。【選択図】      図３
2005196963.tif 000002
【特許請求の範囲】
【請求項１】
予め設定された基本周波数を有する基本信号と、当該基本周波数と異なる副周波数を有する副信号と、を多重した多重周波数信号に相当する蛇行波形が形成されているトラックを備えることを特徴とする情報記録媒体。
【請求項２】
請求項１に記載の情報記録媒体において、
前記蛇行波形は、前記多重周波数信号の周波数を蛇行周波数とする蛇行波形であることを特徴とする情報記録媒体。
【請求項３】
請求項１又は２に記載の情報記録媒体において、
前記副周波数は前記基本周波数より高い周波数であることを特徴とする情報記録媒体。
【請求項４】
請求項３に記載の情報記録媒体において、
前記副周波数は前記基本周波数の整数倍の周波数であることを特徴とする情報記録媒体。
【請求項５】
請求項１から４のいずれか一項に記載の情報記録媒体に情報を記録する情報記録装置であって、
前記情報記録媒体より前記多重周波数信号を検出する検出手段と、
前記検出された多重周波数信号より前記副信号を抽出する副信号抽出手段と、
前記抽出された副信号よりアドレス情報を取得するアドレス情報取得手段と、
前記取得されたアドレス情報に基づいて前記情報を記録する記録手段と
を備えることを特徴とする情報記録装置。
【請求項６】
請求項５に記載の情報記録装置において、
前記多重周波数信号より前記基本信号を抽出する基本信号抽出手段と、
前記抽出された基本信号よりクロック信号を取得するクロック信号取得手段と、
前記取得されたクロック信号に基づいて前記記録媒体の回転制御を行う回転制御手段と
を更に備えることを特徴とする情報記録装置。
【請求項７】
請求項１から４のいずれか一項に記載の情報記録媒体に記録されている情報を再生する情報再生装置であって、
前記情報記録媒体より前記多重周波数信号を検出する検出手段と、
前検出された記多重周波数信号より前記副信号を抽出する副信号抽出手段と、
前記抽出された副信号よりアドレス情報を取得するアドレス情報取得手段と、
前記取得されたアドレス情報に基づいて前記情報を再生する再生手段と
を備えることを特徴とする情報再生装置。
【請求項８】
請求項７に記載の情報再生装置において、
前記多重周波数信号より前記基本信号を抽出する基本信号抽出手段と、
前記抽出された基本信号よりクロック信号を取得するクロック信号取得手段と、
前記取得されたクロック信号に基づいて前記記録媒体の回転制御を行う回転制御手段と
を更に備えることを特徴とする情報再生装置。
【発明の詳細な説明】
【技術分野】
【０００１】
本願は、情報記録媒体、媒体製造装置並びに情報検出装置及び当該情報検出装置を含んだ情報記録装置の技術分野に属し、より詳細には、記録情報を記録する際に再生されることにより当該記録情報の記録の制御に用いられる制御情報が予め記録されている記録可能な情報記録媒体及び当該情報記録媒体を製造するための媒体製造装置並びに記録情報を記録する際に当該情報記録媒体から当該制御情報を検出するための情報検出装置及び当該情報検出装置を含んだ情報記録装置の技術分野に属する。
【背景技術】
【０００２】
近年、記録可能な従来の光ディスクとしてのＣＤ−Ｒ（Compact Disk−Recordable）に比して数倍記録密度を向上させた光ディスクであるＤＶＤ−Ｒ（DVD-Recordable。一回のみ記録が可能なＤＶＤ）又はＤＶＤ−Ｒ／Ｗ（DVD-ReWritable。複数回の上書き記録が可能なＤＶＤ）の開発が行われているが、このＤＶＤ−Ｒ又はＤＶＤ−Ｒ／Ｗ（以下、従来の技術の欄において単にＤＶＤ−Ｒ／Ｗ等と称する。）に記録情報を記録するための情報記録装置においては、離散的な配置のプリピットとして当該ＤＶＤ−Ｒ／Ｗ等に予め（記録情報が何ら記録されていない状態で）記録されているアドレス情報（当該記録情報を記録すべきＤＶＤ−Ｒ／Ｗ等上の位置を示すアドレス情報）を検出し、当該検出したアドレス情報に基づいて記録情報の記録位置を検索して当該記録情報を記録する構成となっている。
【０００３】
なお、このプリピットにより記録されているアドレス情報は、予め設定されている単位（例えば、記録情報における誤り訂正単位としてのＥＣＣ（Error Correcting Code）ブロック単位）毎に規格化されており、当該一の単位全てに対応するプリピットを検出して初めて全体のアドレス情報が取得できる仕組みとなっている。
【０００４】
更に、上記ＤＶＤ−Ｒ／Ｗ等においては、記録情報が記録されるべき情報トラックを一定の単一周波数でウォブリング（蛇行）させ、当該記録情報の記録時においてこのウォブリングの周波数を検出することにより記録時の基準となる記録クロック信号を生成して記録を行う構成となっている。
【０００５】
この構成によれば、外乱によってＤＶＤ−Ｒ／Ｗ等の回転が定常速度からずれたとしても当該ずれに合わせて記録クロック信号の周波数をもずらすことが可能となり、これにより当該ＤＶＤ−Ｒ／Ｗ等の回転に常に同期した周波数を有する記録クロック信号を生成して正確に記録情報を記録することが可能となる。
【発明の開示】
【発明が解決しようとする課題】
【０００６】
しかしながら、従来の情報トラックのウォブリングにおける上記単一周波数は、例えば１４０キロヘルツ程度の低周波数であったため、記録時において記録密度に比して精度の高い記録クロック信号が生成できない場合があるという問題点があった。
【０００７】
また、アドレス情報についても、プリピットを用いることのみにより予め記録されていたため、その情報量としても限界があるという問題点もあった。
【０００８】
更に、上記したＥＣＣブロックの如く予め設定されている単位に対応する量のプリピットを検出した後でないとアドレス情報が取得できないため、高速なアドレス検索を行って高速に記録情報を記録することができないという問題点もあった。
【０００９】
そこで、本願は、上記の各問題点に鑑みて為されたもので、その課題の一例は、記録情報の記録時において高精度且つ高信頼性を有する記録クロック信号に基づいて記録情報の記録を行うことが可能であると共に、アドレス情報をより多く且つより短時間に正確に取得することが可能な情報記録媒体及び当該情報記録媒体を製造するための媒体製造装置並びに記録情報を記録する際に当該情報記録媒体から当該制御情報を検出するための情報検出装置及び当該情報検出装置を含んだ情報記録装置を提供することにある。
【課題を解決するための手段】
【００１０】
上記の課題を解決するために、請求項１に記載の発明は、予め設定された基本周波数を有する基本信号と、当該基本周波数と異なる副周波数を有する副信号と、を多重した多重周波数信号に相当する蛇行波形が形成されているトラックを備える。
【００１１】
上記の課題を解決するために、請求項５に記載の発明は、請求項１から４のいずれか一項に記載の情報記録媒体に情報を記録する情報記録装置であって、前記情報記録媒体より前記多重周波数信号を検出する検出手段と、前記検出された多重周波数信号より前記副信号を抽出する副信号抽出手段と、前記抽出された副信号よりアドレス情報を取得するアドレス情報取得手段と、前記取得されたアドレス情報に基づいて前記情報を記録する記録手段とを備える。
【００１２】
上記の課題を解決するために、請求項７に記載の発明は、請求項１から４のいずれか一項に記載の情報記録媒体に記録されている情報を再生する情報再生装置であって、前記情報記録媒体より前記多重周波数信号を検出する検出手段と、前検出された記多重周波数信号より前記副信号を抽出する副信号抽出手段と、前記抽出された副信号よりアドレス情報を取得するアドレス情報取得手段と、前記取得されたアドレス情報に基づいて前記情報を再生する再生手段とを備える。
【発明を実施するための最良の形態】
【００１３】
次に、本発明に好適な実施の形態について、図面に基づいて説明する。
【００１４】
なお、以下に説明する実施の形態は、記録情報を記録すべき情報記録媒体としての上記ＤＶＤ−Ｒ／Ｗ上の位置を示すアドレス情報がプリ情報としてプリピットを形成して記録されている共に、ＤＶＤ−Ｒ／Ｗに対する記録情報の記録動作全般（当該ＤＶＤ−Ｒ／Ｗの回転数制御を含む。）を制御するために用いられる上記記録クロック信号を生成するための基準となる低周波数信号が予め記録されているＤＶＤ−Ｒ／Ｗを製造するためのカッティング装置及び当該ＤＶＤ−Ｒ／Ｗに対して必要な記録情報を記録するための情報記録装置について本発明を適用した場合の実施形態である。
【００１５】
（Ｉ）ＤＶＤ−Ｒ／Ｗの実施形態
初めに、上記プリ情報に対応したプリピットが予め形成されていると共に後述のグルーブトラックを以下に示す多重周波数でウォブリングさせることで上記低周波数信号及び後述する高周波数信号が記録されているＤＶＤ−Ｒ／Ｗの実施形態について図１乃至図３を用いて説明する。
【００１６】
なお、図１（ａ）は実施形態のＤＶＤ−Ｒ／Ｗの構造を示す斜視図（図面の明瞭化のために、後述する高周波数信号に対応するウォブリングの記載を省略し、低周波数信号に対応するウォブリングのみを記載してある。）であり、図１（ｂ）は当該斜視図における矢印方向からグルーブトラックを見た断面図であり、図２はＤＶＤ−Ｒ／Ｗに予め記録されているプリ情報及び上記低周波数信号並びに高周波数信号の記録フォーマットを示す模式図であり、図３は当該記録フォーマットを更に説明する模式図である。
【００１７】
先ず、図１を用いて本実施形態のＤＶＤ−Ｒ／Ｗの物理的構造について説明する。
【００１８】
図１（ａ）及び（ｂ）において、ＤＶＤ−Ｒ／Ｗ１は相変化薄膜からなる記録層１１を備えた複数回の情報の書込みが可能な相変化型ＤＶＤ−Ｒ／Ｗであり、情報が記録されるべきトラックである情報トラックとしてのグルーブトラック２と当該グルーブトラック２に再生光又は記録光としてのレーザビーム等の光ビームＢを誘導するための隣接トラックとしてのランドトラック３とが相互に相隣接して基板９上に形成されている。
【００１９】
また、各グルーブトラック２においては、特に図１（ｂ）に示すように、記録層１１を挟むように当該記録層１１を保護する機能を有する保護層５及び８と、記録された記録情報を再生する際に光ビームＢを反射するための反射層６と、記録層１１、保護層５及び８並びに反射層６を外気等から更に保護するための樹脂層９Ａ並びに保護膜７が、夫々基板９上に積層されて形成されている。
【００２０】
一方、上記ランドトラック３には上記プリ情報に対応するプリピット４が形成されている。このプリピット４はＤＶＤ−Ｒ／Ｗ１を出荷する前に予め形成されているものである。
【００２１】
更に、当該ＤＶＤ−Ｒ／Ｗ１においては、グルーブトラック２を、上記記録クロック信号の生成に用いる上記低周波数（具体的には、１４０キロヘルツ）信号（以下、この信号を基本周波数信号と称する。）に対して後述するアドレス情報を記録するために用いられる上記高周波数（具体的には、８４０キロヘルツ）信号（以下、この信号を副周波数信号と称する。）が多重された多重周波数信号に相当するようにウォブリングさせている。このとき、このグルーブトラック２におけるウォブル（蛇行波形）のうち基本周波数信号に対応するウォブルによる記録クロック信号生成用の当該基本周波数信号の記録並びに当該ウォブルのうち副周波数信号に対応するウォブルによる後述するようなアドレス情報の記録は、上記プリピット４と同様に、ＤＶＤ−Ｒ／Ｗ１を出荷する前に夫々予め行われているものである。
【００２２】
そして、ＤＶＤ−Ｒ／Ｗ１に記録情報（プリ情報及び同期信号以外の本来記録すべき画像情報等の情報をいう。以下同じ。）を記録する際には、後述の情報記録装置においてグル−ブトラック２のウォブルにおける多重周波数信号に含まれる上記基本周波数信号を副周波数信号とは別個に検出することにより、上記記録クロック信号を取得してＤＶＤ−Ｒ／Ｗ１の記録動作全般を制御する。
【００２３】
一方、同様に当該情報記録装置においてプリピット４を検出することにより予めプリ情報を取得すると共に、それに基づいて記録光としての光ビ−ムＢの最適出力等を設定し、更に記録情報を記録すべきＤＶＤ−Ｒ／Ｗ１上の位置であるアドレス情報等を取得し、このアドレス情報に基づいて記録情報が対応する記録位置に記録される。
【００２４】
また、当該アドレス情報は、後述するように上記別個に検出された副周波数信号をデコードすることによっても取得される。
【００２５】
ここで、記録情報の記録時には、光ビームＢをその中心がグルーブトラック２の中心と一致するように照射してグルーブトラック２上に記録情報に対応する相変化ピットを形成することにより記録情報を形成する。
【００２６】
この時、光スポットＳＰの大きさは、図１（ａ）に示すように、その一部がグルーブトラック２だけでなくランドトラック３にも照射されるように設定される。そして、このランドトラック３に照射された光スポットＳＰの一部の反射光を用いてプッシュプル法（ＤＶＤ−Ｒ／Ｗ１の回転方向に平行な分割線により分割された光検出器を用いたラジアルプッシュプル法）によりプリピット４からプリ情報を検出して当該プリ情報が取得されると共に、グルーブトラック２に照射されている光スポットＳＰの反射光を用いてグルーブトラック２から上記多重周波数信号が検出されて記録クロック信号の生成又はアドレス情報の取得が実行される。
【００２７】
次に、本実施形態のＤＶＤ−Ｒ／Ｗ１に予め記録されているプリ情報及び上記多重周波数信号の記録フォーマットについて、図２を用いて説明する。
【００２８】
なお、図２において、上段は記録情報における記録フォーマットを示し、下段の波形は当該記録情報を記録するグルーブトラック２のウォブリング状態（すなわち、グルーブトラック２の平面図）を示し、記録フォーマットを示す図とグルーブトラック２のウォブリング状態を示す図の間の上向き矢印は、プリピット４が形成される位置を模式的に示すものである。
【００２９】
ここで、図２においては、グルーブトラック２のウォブリング状態は、理解の容易のため実際の振幅よりも大きい振幅を用いて示してあり、記録情報は当該グルーブトラック２の中心線上に相変化ピットを形成して記録される。
【００３０】
図２に示すように、本実施形態においてＤＶＤ−Ｒ／Ｗ１に記録される記録情報は、予め情報単位としてのシンクフレーム毎に分割されている。そして、２６のシンクフレームにより一のレコーディングセクタが形成され、更に、１６のレコ−ディングセクタにより再生時の誤り訂正の最小単位を構成する後述する一のＥＣＣブロックが形成される。
【００３１】
なお、一のシンクフレームは、上記記録情報を記録する際の記録フォーマットにより規定されるビット間隔に対応する単位長さ（以下、Ｔという。）の１４８８倍（１４８８Ｔ）の長さを有しており、更に、一のシンクフレームの先頭の１４Ｔの長さの部分にはシンクフレ−ム毎に記録時の同期を取るための同期情報ＳＹが記録される。
【００３２】
一方、本実施形態においてＤＶＤ−Ｒ／Ｗ１に記録されているプリ情報は、シンクフレーム毎に記録されている。ここで、プリピット４によるプリ情報の記録においては、記録情報内の夫々のシンクフレームにおける同期情報ＳＹが記録される領域に隣接するランドトラック３上にプリ情報における同期信号（以下、当該同期信号をシンクコードと称する。）を示すものとして必ず一のプリピット４が形成されると共に、当該同期情報ＳＹ以外の当該シンクフレーム内の前半部分に隣接するランドトラック３上に記録すべきプリ情報の内容（アドレス情報）を示すものとして二又は一のプリピット４が形成される（なお、同期情報ＳＹ以外の当該シンクフレーム内の前半部分については、記録すべきプリ情報の内容によってはプリピット４が形成されない場合もある。また、一のレコーディングセクタの先頭のシンクフレームでは、その前半部分に必ず三つのプリピット４が連続して形成される。）。
【００３３】
この際、本実施形態では、一のレコ−ディングセクタにおいては、偶数番目のシンクフレーム（以下、ＥＶＥＮフレームという。）のみ又は奇数番目のシンクフレーム（以下、ＯＤＤフレームという。）のみのいずれか一方にプリピット４が形成されてプリ情報が記録される。すなわち、図２において、ＥＶＥＮフレームにプリピット４が形成された場合には（図２において実線上向き矢印で示す。）それに隣接するＯＤＤフレームにはプリピット４は形成されない。
【００３４】
ここで、上述したようにＥＶＥＮフレーム又はＯＤＤフレームのみにプリピット４を形成するのは、例えば、ＤＶＤ−Ｒ／Ｗ１全体のシンクフレームに渡って全てプリピット４を形成した場合には、当該ＤＶＤ−Ｒ／Ｗ１が一定線速度で回転制御されるものである都合上、一のグルーブトラック２に対してその両側のランドトラック３上の同じ位置にプリピット４が形成される場合が発生し得る。そして、その場合には、異なるランドトラック３にある（異なるプリ情報を担持する）プリピット４が同時に光スポットＳＰの範囲内に含まれることとなり、このときには異なるプリ情報が同時に検出されるので双方のプリ情報が正確に読み取れないこととなる。そこで、ＤＶＤ−Ｒ／Ｗ１では、通常は、ＥＶＥＮフレームに対応する領域にのみプリピット４を形成し、その状態で一のグルーブトラック２に対してその両側のランドトラック３上の同じ位置にプリピット４が形成される可能性がある場合にのみＯＤＤフレームに対応する領域にプリピット４を形成するのである。
【００３５】
なお、上記プリピット４により記録されるプリ情報（ＤＶＤ−Ｒ／Ｗ１上のアドレス情報を含む。）のデータ構造としては、上述したように一シンクフレームおきにしかプリピット４が形成されない関係上、上記一のＥＣＣブロックに相当するプリ情報を全て検出した後これを復号することでＤＶＤ−Ｒ／Ｗ１上のアドレス情報が取得できるようなデータ構造が採用されている。
【００３６】
次に、グルーブトラック２のウォブルとプリピット４の位置の関係については、当該ウォブリングにおける最大振幅の位置にプリピット４が形成されている。
【００３７】
このとき、プリピット４におけるプリ情報の内容と形成される位置との関係についてより具体的に説明すると、同期情報ＳＹが記録される領域に隣接するランドトラック３上に形成されているプリピット４を「プリピットＢ２」とし、同期情報ＳＹ以外のシンクフレーム内の前半部分に隣接するランドトラック３上に形成されているプリピット４をその先頭から「プリピットＢ１」及び「プリピットＢ０」とすると、以下の表１に示すように、一レコーディングセクタの先頭のＥＶＥＮフレームにおけるシンクコードに対応する個所にはプリピットＢ２乃至Ｂ０が全て形成されており、ＯＤＤフレームにおけるシンクコードに対応する個所にはプリピットＢ２及びＢ１のみが形成されており、シンクコード以外のプリ情報としてのデータ「１」に対応する個所にはプリピットＢ２及びＢ０のみが形成されており、シンクコード以外のプリ情報としてのデータ「０」に対応する個所にはプリピットＢ２のみが形成されている。
【００３８】
【表１】
2005196963.tif 000003
一方、グルーブトラック２は、全てのシンクフレームに渡って、１４０ｋＨｚ（一のシンクフレームがその八波分に相当する周波数）の上記基本周波数を有する基本周波数信号に８４０ｋＨｚ（すなわち、基本周波数における一波中に六波が含まれる周波数）の上記副周波数を有する副周波数信号が多重された多重周波数でウォブリングされている。
【００３９】
更に、当該副周波数信号は、プリピット４に相隣接する位置（ＥＶＥＮフレームにプリピット４が形成されている場合及びＯＤＤフレームにプリピット４が形成されている場合の双方を含む。）の基本周波数信号には多重されていないと共に、後述するように当該副周波数信号を用いて記録するアドレス情報に基づいて位相変調されている。
【００４０】
そして、後述の情報記録装置において、当該基本周波数を検出することでＤＶＤ−Ｒ／Ｗ１の記録動作全般を制御するための上記記録クロック信号が生成される共に、当該副周波数信号を検出することで上記アドレス情報が取得される。
【００４１】
次に、当該グルーブトラックのウォブルの態様について、より詳細に図３を用いて説明する。
【００４２】
なお、図３上段は、上からプリピット４の形成位置並びに実際には多重されている副周波数信号及び基本周波数信号を夫々分離して示す図であり、図３下段は、副周波数信号における位相変調の態様と当該位相変調により記録されるアドレス情報との関係（実施形態では、３通りある。）を示す波形対応図である。
【００４３】
また、図３上段において、副周波数信号及び基本周波数信号を夫々示す図における一つの四角は夫々の信号における一波（一周期）を示す。
【００４４】
図３上段に示すように、プリピット４は通常はＥＶＥＮフレームのみに形成されている。
【００４５】
そして、副周波数信号は、ＥＶＥＮフレーム及びＯＤＤフレームの双方について、プリピット４が現実に形成されている位置及び形成される可能性のある位置においては基本周波数信号に多重されていない。また、副周波数信号の六波分が基本周波数信号における一波分に相当している。
【００４６】
更に、基本周波数信号については、その八波分が一のシンクフレームに相当している。
【００４７】
次に、副周波数信号の位相変調により記録されるアドレス情報について図３下段を用いて説明すると、先ず、アドレス情報におけるシンクコードを記録する場合には、図３下段左に示すように、基本周波数信号一波に相当する副周波数信号六波分のうち、最初の三波のみの位相を反転してグルーブトラック２をウォブリングさせる。
【００４８】
また、アドレス情報におけるデータ「１」を記録する場合には、図３下段右に示すように、当該副周波数信号六波分のうち、第一波、第四波及び第五波のみの位相を反転してグルーブトラック２をウォブリングさせる。
【００４９】
更に、アドレス情報におけるデータ「０」を記録する場合には、図３下段中に示すように、当該副周波数信号六波分のうち、第一波及び第六波のみの位相を反転してグルーブトラック２をウォブリングさせる。
【００５０】
ここで、副周波数信号のうち、アドレス情報の記録のために位相変調されるのは、一シンクフレーム内の基本周波数信号における最初の三波に相当する位置（すなわちプリピット４が形成されている可能性のある位置）を除くその第四波から第八波に相当する位置のいずれかとされている。
【００５１】
このとき、図３下段に示すように副周波数信号を位相変調してアドレス情報を記録する場合には、一のレコーディングセクタ内に最大で１３ビットのアドレス情報が記録できるので、上記したプリ情報の場合と異なり、例えば、四つのレコーディングセクタに相当するアドレス情報を検出した後これを復号するのみでＤＶＤ−Ｒ／Ｗ１上のアドレス情報（いわゆる絶対アドレス情報）が取得できるようなデータ構造を採用することができる。
【００５２】
なお、上述したように、一のレコ−ディングセクタにおいては、ＥＶＥＮフレームのみ又はＯＤＤフレームのみのいずれか一方にプリピット４が形成されていることに対応して、副周波数信号が位相変調されている部分についても、当該部分が、ＤＶＤ−Ｒ／Ｗ１の半径方向において、一周内側のグルーブトラック２に対応するプリピット４の位置と近接する可能性がある場合には、当該近接しない他方のシンクフレーム（ＥＶＥＮフレーム又はＯＤＤフレームのいずれか一方）に当該部分が形成される。つまり、一のレコ−ディングセクタ中ではＥＶＥＮフレームのみ又はＯＤＤフレームのみのいずれか一方に当該副周波数信号が位相変調されている部分が形成されている。
【００５３】
従って、図３において、ＥＶＥＮフレームに位相変調された副周波数信号を含むウォブルが形成された場合にはそれに隣接するＯＤＤフレームには当該ウォブルは形成されない。
【００５４】
更に、プリピット４が形成されている位置に対応するシンクフレームと副周波数信号が位相変調されているシンクフレームとは常に一致しているわけではない。
【００５５】
上記した構成により、副周波数信号を位相変調することによって記録されたアドレス情報を検出する際に、プリピット４からの悪影響を排除することができることとなる。
【００５６】
また、上記したプリピット４によりＤＶＤ−Ｒ／Ｗ１に記録されているプリ情報中におけるアドレス情報と、上記副周波数信号の位相変調によりＤＶＤ−Ｒ／Ｗ１に記録されているアドレス情報との関係については、例えば、当該アドレス情報の再生時における信頼性を向上させるべく同じアドレス情報を重畳してプリピット４及び副周波数信号の位相変調に担持させてもよいし、階層的に相互に異なるアドレス情報を夫々別個に担持させてもよい。
【００５７】
（II）カッティング装置の実施形態
次に、図２及び図３に示すプリピット４及びグルーブトラック２を、図２及び図３に示す態様で図１に示す形状に形成するための本実施形態に係るカッティング装置について、図４及び図５を用いて説明する。
【００５８】
なお、図４は実施形態のカッティング装置の全体構成を示すブロック図であり、図５はプリフォーマット用エンコーダの構成を示すブロック図である。
【００５９】
また、図４及び図５に示すカッティング装置は、本発明によりプリピット４及びウォブリングするグルーブトラック２が形成されてプリ情報及びアドレス情報が記録されたＤＶＤ−Ｒ／Ｗ１を大量生産するためのスタンパディスクを製作するためのものである。
【００６０】
先ず、カッティング装置の全体構成及び動作について、図４を用いて説明する。
【００６１】
図３に示すように、実施形態のカッティング装置Ｃは、データ発生部２０と、パラレル／シリアル変換器２１と、プリフォーマット用エンコーダ２２と、クロック信号発生部２３と、レーザ発生装置２４と、光変調器２５と、対物レンズ２６と、スピンドルモータ２９と、回転検出器３０と、回転サーボ回路３１と、送りユニット３２と、位置検出器３３と、送りサーボ回路３４と、電磁石３５と、永久磁石３６と、により構成されている。
【００６２】
また、レーザ発生装置２４は、光ビームＬGを出射する出射装置２４Gと、光ビームＬLを出射する出射装置２４Lとにより構成される。
【００６３】
更に、スタンパディスクは、スタンパディスク本体としてのガラス基盤２７と、ガラス基盤上にコーティングされたプリピット４及び各トラックを形成するためのレジスト（感光材）２８とにより構成されている。
【００６４】
次に、動作を説明する。
【００６５】
先ず、データ発生部２０は、ＤＶＤ−Ｒ／Ｗ１に記録すべきアドレス情報を含むプリ情報ＳPPを生成してパラレル／シリアル変換器２１に出力する。
【００６６】
そして、パラレル／シリアル変換器２１は、当該生成されたプリ情報ＳPPをパラレル／シリアル変換してプリフォーマット用エンコーダ２２へ出力する。
【００６７】
これにより、プリフォーマット用エンコーダ２２は、シリアル化されたプリ情報ＳPPに基づき、図２及び図３に示す記録フォーマットでプリピット４及びグルーブトラック２を形成するための記録プリ情報ＳRを生成して光変調器２５へ出力すると共に、後述のウォブリング信号ＳWを生成して電磁石３５へ出力する。
【００６８】
このとき、クロック信号発生部２３は、プリフォーマッティングに使用するクロック信号ＣＬＫ（周期は上記Ｔとされている。）を生成してプリフォーマット用エンコーダ２２に出力する。
【００６９】
一方、レーザ発生装置２４は、ＤＶＤ−Ｒ／Ｗ１の基板に対して図１に示すグルーブトラック２をウォブリングさせつつ形成するための光ビームＬGを射出すると共に、図１に示すランドトラック３及びプリピット４を形成するための光ビームＬLを射出する。
【００７０】
そして、光変調器２５は、射出された光ビームＬL又はＬGを記録プリ情報ＳRに基づいて強度変調して夫々射出する。
【００７１】
そして、光変調器２５から射出された光ビームＬG及びＬLは、対物レンズ２６によりスタンパディスク上に集光される。
【００７２】
次に、これらと並行して、スピンドルモータ２９はスタンパディスクを回転させる。
【００７３】
そして、回転検出器３０により当該スタンパディスクの回転数を検出し、当該検出された回転数に基づいて、回転サーボ回路３１によりスタンパディスクの回転をサーボ制御すると共に、スタンパディスクの一回転に一回のみ生成される一回転検出信号ＳSを生成してプリフォーマット用エンコーダ２２に出力する。
【００７４】
更に、送りユニット３２は、螺旋状のグルーブトラック２及びランドトラック３をスタンパディスク上に形成するために、当該スタンパディスクの回転に対応してスピンドルモータ２９及びスタンパディスクを当該スタンパディスクの半径方向に移動させる。
【００７５】
このとき、送りユニット３２の半径方向の位置は位置検出器３３により検出され、検出された送りユニット３２の位置に基づいて送りサーボ回路３４により送りユニット３２の移動をサーボ制御する。
【００７６】
一方、電磁石３５は、上記ウォブリング信号ＳWに基づいて光ビームＬGをスタンパディスクの半径方向に振動させ、上述した多重周波数でウォブリングするグルーブトラック２を形成する。
【００７７】
このとき、光変調器２５に固定されている永久磁石３６は、当該電磁石３５との磁気的相互作用により実際に光変調器２５をスタンパディスクの半径方向に振動させて光ビームＬGの照射位置を振動させることにより上記した態様でウォブリングするグルーブトラック２を形成する。
【００７８】
ここで、光ビームＬLは光変調器２５により記録プリ情報ＳRに基づいて変調されるが、光ビームＬGは図示しないＤＣ（直流）駆動装置により常に一定の強度を保ちつつ且つスタンパディスクの半径方向に振動しながら当該スタンパディスクに照射される。
【００７９】
更に、ランドトラック３を形成する光ビームＬLとグルーブトラック２を形成する光ビームＬGは、照射位置をスタンパディスクの半径方向にずらしつつ照射され、同心螺旋状のランドトラック３とグルーブトラック２を同時に形成していく。
【００８０】
次に、プリフォーマット用エンコーダ２２の細部構成及び動作について、図５を用いて説明する。
【００８１】
図５に示すように、プリフォーマット用エンコーダ２２は、フレーム信号発生器４０と、ＯＤＤ・ＥＶＥＮ判定用ゲート信号発生器４１と、判定器４２と、スイッチ４３と、記録プリ情報発生器４４と、カウンタ４５と、ＲＯＭ（Read Only Memory）４６と、Ｄ／Ａ変換器４７と、により構成されている。
【００８２】
次に、動作を説明する。
【００８３】
始めに、図５に示す構成において、スイッチ４３は通常偶数記録プリ情報ＳRE側に切り換えられている。
【００８４】
そして、上記クロック信号ＣＬＫが入力されているフレーム信号発生器４０は、当該クロック信号ＣＬＫに基づいて、図２及び図３に示す各シンクフレームに対応するタイミングにおいて、ＥＶＥＮフレームに対応するＥＶＥＮフレーム信号ＳEと、ＯＤＤフレームに対応するＯＤＤフレーム信号ＳOを夫々出力すると共に、一のＥＶＥＮフレームに対応するＥＶＥＮフレーム信号ＳEが発生する度にリセットされる図示しないＥＶＥＮフレームカウンタから出力されるＥＶＥＮフレームカウント信号ＳECを出力し、更に、夫々のレコーディングセクタの先頭を示す先頭フレーム信号ＳHを出力する。
【００８５】
そして、ＯＤＤ・ＥＶＥＮ判定用ゲート信号発生器４１は、クロック信号ＣＬＫ、一回転検出信号ＳS及びＥＶＥＮフレームカウント信号ＳECに基づいて、スタンパディスクにおける一周に対応する期間に記録するプリピット４を形成すべきシンクフレームをＥＶＥＮフレームとするか又はＯＤＤフレームとするかの判別のためのゲート信号ＳGを出力する。
【００８６】
これらにより、判定器４２は、ＥＶＥＮフレーム信号ＳE、ゲート信号ＳG及び一回転検出信号ＳSに基づいて、プリピット４を形成すべきシンクフレームをＥＶＥＮフレームとするか或はＯＤＤフレームとするかを判定するための判定信号ＳJを出力する。
【００８７】
更に、記録プリ情報発生器４４は、先頭フレーム信号ＳH、ＥＶＥＮフレーム信号ＳE、ＯＤＤフレーム信号ＳO、クロック信号ＣＬＫ及びプリ情報ＳPPに基づいて、記録情報におけるＥＶＥＮフレームに対応したプリピット４を形成するための偶数記録プリ情報ＳRE及び記録情報におけるＯＤＤフレームに対応したプリピット４を形成するための奇数記録プリ情報ＳROを出力する。
【００８８】
そして、スイッチ４３は、判定信号ＳJに基づいて、偶数記録プリ情報ＳRE又は奇数記録プリ情報ＳROを選択的に切り換えて出力する。
【００８９】
一方、カウンタ４５は、ＥＶＥＮフレーム信号ＳEを初期化信号として用いることにより初期化されつつクロック信号ＣＬＫに含まれるクロック数をカウントし、シンクフレームの先頭のクロック数となる度にカウント信号ＳCを出力する。
【００９０】
そして、ＲＯＭ４６は、カウント信号ＳC及びプリ情報ＳPPに基づいて、グルーブトラック２を図２及び図３に示す多重周波数を有するウォブルでウォブリングさせるための予め記憶されているウォブリング信号ＳW （ディジタル信号）を出力する。
【００９１】
これにより、Ｄ／Ａ変換器４７は、出力されたウォブリング信号ＳWを光変調器２５を振動させるためのアナログ信号であるウォブリング信号ＳWに変換して電磁石３５へ出力する。
【００９２】
ここで、当該プリフォーマット用エンコーダ２２のうち、フレーム信号発生器４０、ＯＤＤ・ＥＶＥＮ判定用ゲート信号発生器４１、判定器４２及び記録プリ情報発生器４４の構成及び動作の細部については、例えば、本願の出願人により先に出願された特願平８−３１０９４１号の明細書における段落番号［００６７］乃至［００９０］に記載されている内容をそのまま適用することができる。
【００９３】
次に、上記ウォブリング信号ＳWを生成するための本発明に係るカウンタ４５、ＲＯＭ４６及びＤ／Ａ変換器４７の動作について、図２、図３及び図５を用いて詳説する。
【００９４】
先ず、カウンタ４５は、入力されているＥＶＥＮフレーム信号ＳEを初期化信号として、当該ＥＶＥＮフレーム信号ＳEが入力される度に初期化されつつクロック信号ＣＬＫのクロック数をカウントし、その計数値をカウント信号ＳCとして出力する。
【００９５】
そして、上記カウント信号ＳC及びプリ情報ＳPPは、ＲＯＭ４６に対してそのアドレスデータとして入力され、これによりＲＯＭ４６は、当該カウント信号ＳC及びプリ情報ＳPPの内容に対応して予め設定され当該ＲＯＭ４６内にテーブル化されて記憶されている出力値をウォブリング信号ＳWとして出力する。
【００９６】
ここで、本実施形態では、グルーブトラック２のウォブリング周波数については、上記副周波数信号により記録するアドレス情報の種類に応じて、図３下段に示すようなウォブルとすべく、上記ウォブリング信号ＳWを出力するためのテーブルがＲＯＭ４６に記憶されており、上記カウント信号ＳC及びプリ情報ＳPPに基づいて当該テーブルの内容をウォブリング信号ＳWとして出力する。
【００９７】
なお、具体的なＲＯＭ４６における記憶の形態としては、例えば、プリ情報ＳPPを記録すべきアドレス情報におけるＭＳＢ（Most  Significant Bit）とし、カウント信号ＳCを当該アドレス情報におけるＭＳＢ以外の桁（２ＳＢ、３ＳＢ……ＬＳＢ）として使用し、ＲＯＭ４６内の所定のアドレス毎に図３下段に夫々示すウォブルに対応するデータを記憶しておき、入力されるプリ情報ＳPPとカウンタ信号ＳCに基づいてこれらのうちのいずれかをウォブリング信号ＳWとして読み出せばよい。
【００９８】
より具体的には、例えば、記録すべきアドレス情報が「０」であって、それを示す副周波数信号を図３上段に示す四波目の基本周波数信号に多重する場合、カウンタ４５のカウント値が、当該四波目の基本周波数信号が開始されるタイミングである「５５８（（１４８８／８）×３）」となったときに、対応するカウント信号ＳCを出力し、当該カウント信号ＳCが出力されたタイミングから図３下段中に示すウォブルに対応するデータをウォブリング信号ＳWとして読み出して出力する。
【００９９】
一方、記録すべきアドレス情報が「１」であって、それを示す副周波数信号を同様に図３上段に示す四波目の基本周波数信号に多重する場合、カウンタ４５のカウント値が「５５８」となったときに、対応するカウント信号ＳCを出力し、当該カウント信号ＳCが出力されたタイミングから図３下段右に示すウォブルに対応するデータをウォブリング信号ＳWとして読み出して出力する。
【０１００】
同様に、記録すべきアドレス情報がシンクコードであって、それを示す副周波数信号を図３上段に示す四波目の基本周波数信号に多重する場合、カウンタ４５のカウント値が「５５８」となったときに、対応するカウント信号ＳCを出力し、当該カウント信号ＳCが出力されたタイミングから図３下段左に示すウォブルに対応するデータをウォブリング信号ＳWとして読み出して出力する。
【０１０１】
この後、当該ウォブリング信号ＳWがＤ／Ａ変換器４７によりアナログ信号に変換され、当該アナログ信号に変換されたウォブリング信号ＳWに基づく電磁石３５と永久磁石３６の動作により、光変調器２５がスタンパディスクの半径方向に移動（振動）され、これにより、所望の多重周波数でウォブリングするグルーブトラック２が形成されることとなる。
【０１０２】
以上説明したプリフォーマット用エンコーダ２２の動作により、副周波数信号によりアドレス情報が担持されている図２及び図３に示すウォブルでグルーブトラック２をスタンパディスク上に形成するための上記ウォブリング信号ＳWが生成されるのである。
【０１０３】
（III）情報記録装置の実施形態
次に、上述した構成を有するＤＶＤ−Ｒ／Ｗ１に対して記録情報を記録するための本発明に係る情報記録装置の実施形態について、図６及び図７を用いて説明する。
【０１０４】
始めに、実施形態に係る情報記録装置の構成について、図６及び図７を用いて説明する。
【０１０５】
なお、図６は実施形態に係る情報記録装置の全体構成を示すブロック図であり、図７は情報記録装置の細部構成を示すブロック図である。
【０１０６】
図６に示すように、実施形態の情報記録装置Ｓは、ピックアップ５０と、ドライバ５１と、ストラテジ回路５２と、ＤＶＤエンコーダ５３と、バンドパスフィルタ５４と、トラップ回路５５と、プリピット検出部５６と、位相比較部５７と、位相シフタ５８と、プリピットデコーダ５９と、位相変調デコーダ６０と、ＰＬＬ（Phase Locked Loop）部６１と、スピンドル制御部６２と、ＣＰＵ６３と、スピンドルモータ６４と、第１ウォブルＰＬＬ部ＷＰ１と、第２ウォブルＰＬＬ部ＷＰ２と、により構成されている。
【０１０７】
また、第１ウォブルＰＬＬ部ＷＰ１及び第２ウォブルＰＬＬ部ＷＰ２は、基本的には同様の構成を有しており、具体的には図７（ａ）に示すように、分周器６５、６６及び８０と、位相比較部６７と、イコライザ６８と、ＶＣＯ（Voltage Controlled Oscillator）６９とにより構成されている。
【０１０８】
更に、スピンドル制御部ＳＰは、参照信号発生部７０と、分周器７１及び７２と、位相比較部７３と、イコライザ７４と、スピンドルサーボ部７５と、により構成されている。
【０１０９】
次に、情報記録装置Ｓの動作について、図６及び図７を用いて説明する。
【０１１０】
ＤＶＤ−Ｒ／Ｗ１に記録すべき記録情報としての記録データＳrは、外部から入力され、ＤＶＤエンコーダ１５において後述する記録クロック信号Ｓwc及び後述する制御信号Ｓctに基づいて８／１６変調され、変調信号Ｓecとしてストラテジ回路１６に出力される。
【０１１１】
そして、当該ストラテジ回路１６において、上記記録クロック信号Ｓwcに基づいてＤＶＤ−Ｒ／Ｗ１上に形成される記録ピットの形状を調整するために波形変換され、記録信号Ｓttとしてドライバ５１へ出力される。
【０１１２】
そして、ドライバ５１において記録信号Ｓttが増幅されて増幅記録信号Ｓdpが生成されピックアップ５０に出力される。
【０１１３】
その後、ピックアップ５０は、増幅記録信号Ｓdpにより強度変調された光ビームＢを記録データＳrに対応する記録ピットを形成すべきＤＶＤ−Ｒ／Ｗ１上のグルーブトラック２に照射し、当該記録を行う。
【０１１４】
一方、ピックアップ５０は、記録データＳrに対応する記録ピットの形成に先立ち、光ビームＢをＤＶＤ−Ｒ／Ｗ１に照射し（図１参照）、上記プリピット４及びグルーブトラック２のウォブルにより変調された当該光ビームＢの反射光を受光して、上記プリピット４及びグルーブトラック２のウォブリングの情報を含む検出信号Ｓpを生成し、プリピット検出部５６、バンドパスフィルタ５４及びトラップ回路５５へ出力する。
【０１１５】
このとき、当該検出信号Ｓpとしては、グルーブトラック２のウォブリングに対応する多重周波数（１４０キロヘルツ＋８４０キロヘルツ）を有すると共に、プリピット４が形成されているタイミングにおいてインパルス的な波形（図３中符号４参照）を含む検出信号Ｓpが生成される。
【０１１６】
次に、１４０キロヘルツの信号のみを通過させる特性を有するバンドパスフィルタ５４は、検出信号Ｓpからグルーブトラック２における基本周波数（１４０キロヘルツ）に対応するウォブル検出信号Ｓwp1を抽出し、第１ウォブルＰＬＬ部ＷＰ１内の分周器３０に出力する。
【０１１７】
そして、第１ウォブルＰＬＬ部ＷＰ１は、当該ウォブル検出信号Ｓwp1に基づいて、グルーブトラック２のウォブルにおける基本周波数信号に同期すると共に上記Ｔの逆数に相当する周波数を有するクロック信号Ｓclと、基本周波数信号に同期すると共に当該基本周波数信号と同様の周波数を有するクロック信号Ｓwclと、を生成する。そして、クロック信号Ｓclをプリピット検出部５６、位相シフタ５８及びプリピットデコーダ５９に出力すると共に、クロック信号Ｓwclをプリピット検出部５６、位相比較部５７、位相シフタ５８、プリピットデコーダ５９及びスピンドル制御部ＳＰ内の分周器７１へ夫々出力する。
【０１１８】
このため、第１ウォブルＰＬＬ部ＷＰ１では、図７（ａ）に示すように、当該クロック信号Ｓclを分周期８０にて分周することにより得られる上記クロック信号Ｓwclを更に分周器６６により分周した信号とウォブル検出信号Ｓwp1を分周器６５により分周した信号とを位相比較部６７により位相比較し、その比較結果をイコライザ６８にて周波数補正した信号を用いてＶＣＯ６９を駆動し、上記クロック信号Ｓclを生成している。
【０１１９】
一方、１４０キロヘルツの信号を遮断する特性を有するトラップ回路５５は、検出信号Ｓpからグルーブトラック２における基本周波数信号（１４０キロヘルツ）を除いた信号（上記副周波数信号（８４０キロヘルツ））に対応すると共にその位相変調によりアドレス情報を担持したウォブル検出信号Ｓwp2を生成し、第２ウォブルＰＬＬ部ＷＰ２及び位相変調デコーダ６０に出力する。
【０１２０】
これにより、第２ウォブルＰＬＬ部ＷＰ２は、当該ウォブル検出信号Ｓwp2に基づいて、グルーブトラック２のウォブルにおける副周波数信号に同期すると共にそれと同様の周波数を有したクロック信号Ｓapを生成して位相変調デコーダ６０へ出力する。
【０１２１】
このため、第２ウォブルＰＬＬ部ＷＰ２では、上記第１ウォブルＰＬＬ部ＷＰ１とほぼ同様の構成及び動作により上記クロック信号Ｓapを生成している。
【０１２２】
一方、上記クロック信号Ｓwclが入力されるスピンドル制御部ＳＰは、当該クロック信号Ｓwclに基づいてスピンドルモータ１９の回転数を制御するための駆動制御信号Ｓdcを生成してスピンドルモータ６４へ出力する。
【０１２３】
このため、スピンドル制御部ＳＰでは、参照信号発生部７０から出力されるスピンドルモータ６４の駆動用基準信号を分周器７２にて分周し、その分周結果と上記クロック信号Ｓwclを分周器７１にて分周した信号とを位相比較部７３にて位相比較し、その比較結果の周波数特性をイコライザ７４により補正した信号をスピンドルサーボ部７５へ入力し、これに基づき、当該スピンドルサーボ部７５がＤＶＤ−Ｒ／Ｗ１が一定線速度で回転するようにスピンドルモータ１９を駆動するための上記駆動制御信号Ｓdcを生成してスピンドルモータ６４に出力する。
【０１２４】
次に、プリピット検出部５６は、上記クロック信号Ｓwclにより示されるタイミングに基づき、クロック信号Ｓclを補助的に使用しつつ、検出信号Ｓpに含まれるプリピット４に対応したプリピット信号Ｓpp（図３上段参照）を上記ラジアルプッシュプル法により抽出し、位相比較部５７及びプリピットデコーダ５９へ出力する。
【０１２５】
次に、上記プリピット信号Ｓpp及びクロック信号Ｓwclが入力される位相比較部５７は、夫々の信号の位相を比較し、比較信号Ｓcpを生成して位相シフタ５８へ出力する。
【０１２６】
そして、位相シフタ５８は、クロック信号Ｓclを補助的に使用しつつ、クロック信号Ｓwclの位相を比較信号Ｓcpに対応してシフトし、位相シフト信号Ｓpsを生成してＰＬＬ部６１へ出力する。
【０１２７】
これにより、ＰＬＬ部６１は、位相シフト信号Ｓpsに基づいて、上記クロック信号Ｓclと同様に周期Ｔを有する上記記録クロック信号Ｓwcを生成してＤＶＤエンコーダ５３及びストラテジ回路５２へ出力すると共に、情報記録装置Ｓ内の必要な部材へ出力する。
【０１２８】
一方、クロック信号Ｓcl及びＳwcl並びにプリピット信号Ｓppが入力されるプリピットデコーダ５９は、当該クロック信号Ｓclを補助的に使用しつつ、当該クロック信号Ｓwclにより示されるタイミングに基づいてプリピット信号Ｓppを復号し、プリピット４として担持されていたアドレス情報を含むプリ情報を取得して、復号プリピット信号ＳpadとしてＣＰＵ６３へ出力する。
【０１２９】
更に、例えば同期検波器等からなる位相変調デコーダ６０は、クロック信号Ｓapを基準クロック信号として用いつつウォブル検出信号Ｓwp2に含まれている位相変調部分（図３下段参照）の情報からアドレス情報を復号し、復号アドレス信号ＳhadとしてＣＰＵ６３へ出力する。
【０１３０】
そして、ＣＰＵ６３は、当該復号プリピット信号Ｓpadに含まれているアドレス情報及び復号アドレス信号Ｓhadにより示されるアドレス情報に基づいて、記録データＳrを記録すべきＤＶＤ−Ｒ／Ｗ１上の記録位置を認識し、当該記録位置に必要な記録データＳrが記録されるようにＤＶＤエンコーダ５３を制御するための上記制御信号Ｓctを生成して当該ＤＶＤエンコーダ５３に出力する。
【０１３１】
また、ＣＰＵ６３は、この他に、復号プリピット信号Ｓpadに含まれているアドレス情報以外の例えばピックアップ５０における光ビームＢの照射強度を設定するための情報を用いて当該照射強度を有する光ビームＢを射出するようにピックアップ５０を制御する等の記録動作全体の制御を行う。
【０１３２】
以上説明したように、実施形態のＤＶＤ−Ｒ／Ｗ１、カッティング装置Ｃ及び情報記録装置Ｓの動作によれば、プリピット４に相隣接するグルーブトラック２におけるウォブルが基本周波数信号のみに対応しているので、プリピット４を検出する際に副周波数信号からの悪影響を防止できる。
【０１３３】
また、副周波数信号がアドレス情報に基づいて位相変調されているので、プリ情報以外のアドレス情報をもウォブリングによりＤＶＤ−Ｒ／Ｗ１に予め記録させておき、更に記録データＳrの記録時において当該アドレス情報を安定に検出することができる。
【０１３４】
更に、ＤＶＤ−Ｒ／Ｗ１上に螺旋状にグルーブトラック２及びランドトラック３が形成されており、プリピット４が奇数番目のシンクフレーム又は偶数番目のシンクフレームのいずれか一方が記録されるべきグルーブトラック２に相隣接するランドトラック３上にのみ形成されており、更に位相変調された副周波数信号を含む多重周波数信号に対応したウォブルが、ＯＤＤフレーム又はＥＶＥＮフレームのいずれか一方が記録されるべきグルーブトラック２上の領域内にのみ設けられているので、記録データＳrの記録時において、プリピット４の検出と位相変調された副周波数信号に対応したウォブルの検出とが相互に悪影響を及ぼし合うことを防止できる。
【０１３５】
なお、図６に示した情報記録装置Ｓの例では、グルーブトラック２のウォブルから基本周波数信号を抽出し、これから記録クロック信号Ｓwcを生成したが、これ以外に、トラップ回路５５及び第２ウォブルＰＬＬ部ＷＰ２により抽出される副周波数信号を用いて、位相比較部５７及び位相シフタ５８並びにＰＬＬ部６１により記録クロック信号を生成するように構成することもできる。
【０１３６】
この場合には、基本周波数が１４０キロヘルツであり、更に副周波数が８４０キロヘルツであるので、副周波数が基本周波数の６倍であることとなり、十分に精度及び信頼性の高い記録クロック信号Ｓwcが記録データＳrの記録時に得られると共に、副周波数信号が記録データＳrの変調周波数帯域に影響を及ぼすことを防止できる。
【０１３７】
なお、このときに、当該副周波数信号の周波数は、上述した実施形態における８４０キロヘルツ以外に、基本周波数信号の周波数に対して二以上の整数倍の周波数であればよく、更に言えば、基本周波数信号より高い周波数であればよいこととなる。
【０１３８】
この場合には、基本周波数より高い周波数を有する副周波数信号を抽出して記録クロック信号を生成することとなるので、基本周波数信号に基づいて生成された記録クロック信号Ｓwcよりも高い周波数を有する記録クロック信号が得られることとなり、高精度且つ高信頼性を有する記録クロック信号に基づいて記録データＳrの記録を行うことができる。
【０１３９】
更に、上述した各実施形態は、複数回の記録が可能なＤＶＤ−Ｒ／Ｗ１に対して本発明を適用した場合について説明したが、これ以外に、一回のみ記録が可能なＤＶＤ−Ｒに対して本発明を適用することも同様に可能である。
【図面の簡単な説明】
【０１４０】
【図１】実施形態のＤＶＤ−Ｒ／Ｗの構造を示す図であり、（ａ）は実施形態のＤＶＤ−Ｒ／Ｗの構造を示す斜視図であり、（ｂ）は当該斜視図における矢印方向からグルーブトラックを見た断面図である。
【図２】ＤＶＤ−Ｒ／Ｗに記録されているプリ情報等の記録フォーマットを示す模式図である。
【図３】ＤＶＤ−Ｒ／Ｗに記録されている記録フォーマットを説明する模式図である。
【図４】実施形態のカッティング装置の全体構成を示すブロック図である。
【図５】プリフォーマット用エンコーダの構成を示すブロック図である。
【図６】実施形態に係る情報記録装置の全体構成を示すブロック図である。
【図７】実施形態に係る情報記録装置の細部構成を示すブロック図であり、（ａ）はウォブルＰＬＬ部の構成を示すブロック図であり、（ｂ）はスピンドル制御部の構成を示すブロック図である。
【符号の説明】
【０１４１】
１    ＤＶＤ−Ｒ／Ｗ
２    グルーブトラック
３    ランドトラック
４    プリピット
５、８    保護層
６    反射層
７    保護膜
９    基板
９Ａ    樹脂層
１１    記録層
２０    データ生成部
２１    パラレル／シリアル変換器
２２    プリフォーマット用エンコーダ
２３    クロック信号発生部
２４、２４G、２４L    レーザ発生装置
２５    光変調器
２６    対物レンズ
２７    ガラス基盤
２８    レジスト
２９、６４    スピンドルモータ
３０    回転検出器
３１    回転サーボ回路
３２    送りユニット
３３    位置検出器
３４    送りサーボ回路
４０    フレーム信号発生器
４１    ＯＤＤ・ＥＶＥＮ判定用ゲート信号発生器
４２    判定器
４３    スイッチ
４４    記録プリ情報発生器
５０    ピックアップ
５１    ドライバ
５２    ストラテジ回路
５３    ＤＶＤエンコーダ
５４    バンドパスフィルタ
５５    トラップ回路
５６    プリピット検出部
５７、６７、７３    位相比較部
５８    位相シフタ
５９    プリピットデコーダ
６０    位相変調デコーダ
６１    ＰＬＬ部
６２    スピンドル制御部
６３    ＣＰＵ
６５、６６、７１、７２、８０    分周器
６８、７４    イコライザ
６９    ＶＣＯ
７０    参照信号発生部
７５    スピンドルサーボ部
Ｂ    光ビーム
Ｃ    カッティング装置
Ｓ    情報記録装置
ＳＰ    光スポット
ＳＹ    同期情報
ＣＬＫ    クロック信号
ＷＰ１    第１ウォブルＰＬＬ部
ＷＰ２    第２ウォブルＰＬＬ部
ＬL、ＬG、Ｂ    光ビーム
ＳP    プリ情報
ＳR    記録プリ情報
ＳS    一回転検出信号
ＳE    ＥＶＥＮフレーム信号
ＳO    ＯＤＤフレーム信号
ＳJ    判定信号
ＳW    ウォブリング信号
ＳG    ゲート信号
ＳH    先頭フレーム信号
ＳRE    偶数記録プリ情報
ＳRO    奇数記録プリ情報
ＳEC    ＥＶＥＮフレームカウント信号
ＳC    カウント信号
Ｓr    記録データ
Ｓwc    記録クロック信号
Ｓec    変調信号
Ｓtt    記録信号
Ｓdp    増幅記録信号
Ｓp    検出信号
Ｓwp1、Ｓwp2    ウォブル検出信号
Ｓcl、Ｓwcl、Ｓap    クロック信号
Ｓdc    駆動制御信号
Ｓpp    プリピット信号
Ｓcp    比較信号
Ｓps    位相シフト信号
Ｓpad    復号プリピット信号
Ｓhad    復号アドレス信号
Ｓct    制御信号
【図１】
2005196963.tif 000004
【図２】
2005196963.tif 000005
【図３】
2005196963.tif 000006
【図４】
2005196963.tif 000007
【図５】
2005196963.tif 000008
【図６】
2005196963.tif 000009
【図７】
2005196963.tif 000010